(57)【要約】【課題】容器本体から計量室に流入した内容物に光が当たるのを抑制しつつ、計量室の内容物の残量を確認しながら、内容物を被塗布部に塗布する。【解決手段】容器本体２と、中栓部材４と、計量筒部材７と、塗布栓９と、を備え、塗布栓は、吐出孔８と計量室６との連通を遮断し、かつ計量室６と連通孔５とを連通させる計量位置と、計量位置よりも容器軸Ｏ方向に沿う容器本体の底部２ａ側に位置するとともに、計量室と連通孔との連通を遮断し、かつ吐出孔と計量室とを連通させる塗布位置と、の間を容器軸方向に移動自在に配設され、容器本体は、全域にわたって容器外部から内部が視認不能に形成され、計量筒部材のうち計量室を画成する壁部は、計量室を容器外部から視認可能な透視部２１と、計量室を容器外部から視認不能な遮光部２２と、により構成されている。【選択図】図１
2019131236.tif 000002
【特許請求の範囲】
【請求項１】
被塗布部に塗布する内容物が収容される有底筒状の容器本体と、
前記容器本体の口部に装着され、前記容器本体内に連通する連通孔が形成された中栓部材と、
前記中栓部材との間に、前記連通孔を通して前記容器本体内に連通する計量室を形成するとともに、頂部に前記計量室に連通する吐出孔が形成された計量筒部材と、
前記計量室に設けられるとともに、先端部が前記吐出孔から前記計量室の外部に突出される塗布栓と、を備え、
前記塗布栓は、
前記吐出孔と前記計量室との連通を遮断し、かつ前記計量室と前記連通孔とを連通させる計量位置と、
前記計量位置よりも容器軸方向に沿う前記容器本体の底部側に位置するとともに、前記計量室と前記連通孔との連通を遮断し、かつ前記吐出孔と前記計量室とを連通させる塗布位置と、の間を容器軸方向に移動自在に配設され、
前記容器本体は、全域にわたって容器外部から内部が視認不能に形成され、
前記計量筒部材のうち前記計量室を画成する壁部は、前記計量室を容器外部から視認可能な透視部と、前記計量室を容器外部から視認不能な遮光部と、により構成されていることを特徴とする塗布容器。
【請求項２】
前記計量筒部材のうち、少なくとも前記壁部は、
透明若しくは半透明な材質で形成された透視層と、
遮光性を有する材質で形成されるとともに、前記透視層を、その一部を除いて覆う遮光層と、を備え、
前記透視部は、前記透視層の前記一部を備えることを特徴とする請求項１に記載の塗布容器。
【発明の詳細な説明】
【技術分野】
【０００１】
本発明は、塗布容器に関する。
【背景技術】
【０００２】
従来から、以下に示すような塗布容器が知られている。塗布容器は、被塗布部に塗布する内容物が収容される有底筒状の容器本体と、容器本体の口部に装着され、容器本体内に連通する連通孔が形成された中栓部材と、中栓部材との間に、連通孔を通して容器本体内に連通する計量室を形成するとともに、頂部に計量室に連通する吐出孔が形成された計量筒部材と、計量室に設けられるとともに、先端部が吐出孔から計量室の外部に突出される塗布栓と、を備える。塗布栓は、吐出孔と計量室との連通を遮断し、かつ計量室と連通孔とを連通させる計量位置と、計量位置よりも下方に位置するとともに、計量室と連通孔との連通を遮断し、かつ吐出孔と計量室とを連通させる塗布位置と、の間を容器軸方向に移動自在に配設されている。
【先行技術文献】
【特許文献】
【０００３】
【特許文献１】特許第５２２９５４２号公報
【発明の概要】
【発明が解決しようとする課題】
【０００４】
ところでこの種の塗布容器では、光が当たると例えば効能が低下する等、光に敏感な内容物が容器本体に充填されることがある。この場合、容器本体から計量室に流入した内容物についても、被塗布部への塗布が完了するまでの間に、光が当たらないようにすることが求められる。
その一方、計量室の内容物の残量を確認しながら、内容物を被塗布部に塗布することについての要望もある。
【０００５】
本発明は、前述した事情に鑑みてなされたものであって、容器本体から計量室に流入した内容物に光が当たるのを抑制しつつ、計量室の内容物の残量を確認しながら、内容物を被塗布部に塗布することができる塗布容器を提供することを目的とする。
【課題を解決するための手段】
【０００６】
前記課題を解決するために、本発明は以下の手段を提案している。
本発明に係る塗布容器は、被塗布部に塗布する内容物が収容される有底筒状の容器本体と、前記容器本体の口部に装着され、前記容器本体内に連通する連通孔が形成された中栓部材と、前記中栓部材との間に、前記連通孔を通して前記容器本体内に連通する計量室を形成するとともに、頂部に前記計量室に連通する吐出孔が形成された計量筒部材と、前記計量室に設けられるとともに、先端部が前記吐出孔から前記計量室の外部に突出される塗布栓と、を備え、前記塗布栓は、前記吐出孔と前記計量室との連通を遮断し、かつ前記計量室と前記連通孔とを連通させる計量位置と、前記計量位置よりも容器軸方向に沿う前記容器本体の底部側に位置するとともに、前記計量室と前記連通孔との連通を遮断し、かつ前記吐出孔と前記計量室とを連通させる塗布位置と、の間を容器軸方向に移動自在に配設され、前記容器本体は、全域にわたって容器外部から内部が視認不能に形成され、前記計量筒部材のうち計量室を画成する壁部は、前記計量室を容器外部から視認可能な透視部と、前記計量室を容器外部から視認不能な遮光部と、により構成されていることを特徴とする。
【０００７】
この発明によれば、計量筒部材の前記壁部が透視部を備えるので、計量室の内容物を被塗布部に塗布する際に、透視部を通して計量室の内容物の残量を確認することが可能になり、優れた取り扱い性を具備させることができる。
しかも、計量筒部材の前記壁部が、透視部だけでなく遮光部も備えているので、前記壁部の全体が透視部で構成されている場合と比べて、容器本体から計量室に流入した内容物に光が当たるのを抑制することができる。
【０００８】
ここで、前記計量筒部材のうち、少なくとも前記壁部は、透明若しくは半透明な材質で形成された透視層と、遮光性を有する材質で形成されるとともに、前記透視層を、その一部を除いて覆う遮光層と、を備え、前記透視部は、前記透視層の前記一部を備えてもよい。
【０００９】
この場合、計量筒部材のうちの少なくとも前記壁部が、積層された透視層および遮光層を備えるので、例えば、透視層および遮光層が、厚さ方向に直交する方向に並べられた構成と比べて、計量筒部材を容易かつ精度よく形成することができる。
【発明の効果】
【００１０】
本発明によれば、容器本体から計量室に流入した内容物に光が当たるのを抑制しつつ、計量室の内容物の残量を確認しながら、内容物を被塗布部に塗布することができる。
【図面の簡単な説明】
【００１１】
【図１】本発明の一実施形態に係る塗布容器の一部縦断面図である。
【図２】図１に示す塗布容器の拡大図である。
【図３】図２に示す塗布容器であって、透視部を正面から見た側面図である。
【図４】本発明の一実施形態に係る塗布容器の拡大図であって、塗布栓が計量位置に引き上げられた状態にある一部縦断面図である。
【図５】本発明の一実施形態に係る塗布容器の拡大図であって、塗布栓が塗布位置に位置した状態にある一部縦断面図である。
【発明を実施するための形態】
【００１２】
以下、図１から図５を参照し、本発明の一実施形態に係る塗布容器を説明する。この塗布容器１には、例えば人体の頭皮や皮膚等の被塗布部Ｓに塗布される育毛剤や薬液等の内容物が収容される。
【００１３】
図１に示すように、塗布容器１は、被塗布部Ｓに塗布する内容物が収容される有底筒状の容器本体２と、容器本体２の口部３に装着され、容器本体２内に連通する連通孔５が形成された中栓部材４と、中栓部材４との間に、連通孔５を通して容器本体２内に連通する計量室６を形成するとともに、頂部１９に計量室６に連通する吐出孔８が形成された計量筒部材７と、計量室６に設けられるとともに、先端部２６が吐出孔８から計量室６の外部に突出される塗布栓９と、を備える。
【００１４】
ここで、容器本体２の口部３、および計量筒部材７それぞれの中心軸線が共通軸上に配置されている。以下、この共通軸を容器軸Ｏといい、容器軸Ｏ方向に沿う容器本体２の底部２ａ側（図１における下側）を下側、容器軸Ｏ方向に沿う容器本体２の口部３側（図１における上側）を上側という。また、容器軸Ｏ方向から見た平面視で容器軸Ｏに交差する方向を径方向といい、容器軸Ｏ回りに周回する方向を周方向という。
【００１５】
容器本体２の口部３は、容器本体２のうち、口部３以外の胴部２ｂ、底部２ａおよび肩部２ｃよりも小径とされている。口部３の外周面には雄ねじ部が形成されている。この雄ねじ部は、例えば二条ねじであってもよい。口部３の上端部の外径は、口部３のうち、上端部より下方に位置する部分の外径より小さくなっており、口部３の上端部の外周面には、径方向の外側に突出するとともに周方向に延びる環状または円弧状の突起が形成されている。口部３の下端部には、径方向の外側に向けて突出する回り止めリブ３ｂが形成されている。
【００１６】
図２に示すように、中栓部材４は、容器本体２の口部３内に配設された有底筒状のシリンダ筒１２と、シリンダ筒１２の底壁から上側に向けて突出した支持体１１と、シリンダ筒１２より大径に形成されるとともに、シリンダ筒１２から上側に向けて突出し、容器本体２の口部３内に嵌合した主嵌合筒１３と、主嵌合筒１３の上部を径方向の外側から囲繞するとともに主嵌合筒１３に連結された外嵌合筒１７と、を有している。
【００１７】
なお、本実施形態では、中栓部材４のシリンダ筒１２、支持体１１、主嵌合筒１３および外嵌合筒１７が一体に形成されている。なお、中栓部材４は、例えば着色樹脂材料等の遮光性を有する樹脂材料で一体に形成されても、透明若しくは半透明の樹脂材料等で一体に形成されてもよい。また、中栓部材４を、遮光性を有する例えばフィルム若しくは塗膜等の被覆体で覆った構成とする等適宜変更してもよい。
【００１８】
支持体１１は、シリンダ筒１２の底壁に立設されて容器軸Ｏと同軸に配置された案内軸１１ａと、案内軸１１ａの下端部から径方向の外側に向けて突出する規制部１１ｂと、を備えている。
案内軸１１ａは、シリンダ筒１２における径方向の内側に配置され、案内軸１１ａの上端部は、シリンダ筒１２および主嵌合筒１３よりも上側に突出している。
【００１９】
規制部１１ｂは、全周にわたって連続して延びる筒状体となっている。規制部１１ｂは、シリンダ筒１２の底壁および案内軸１１ａに一体に連結されている。規制部１１ｂの内周面は、案内軸１１ａの外周面と一体に形成されている。規制部１１ｂの上端縁は、シリンダ筒１２の周壁の上端開口縁よりも下側に位置している。
なお、規制部１１ｂとして、容器軸Ｏ方向に延びる縦長のリブ状体が周方向に間隔をあけて複数配置されてなる構成を採用してもよい。また、規制部１１ｂは、案内軸１１ａおよびシリンダ筒１２と別体に形成されてもよい。
【００２０】
シリンダ筒１２は、容器軸Ｏと同軸に配置されている。シリンダ筒１２には、周方向に間隔をあけて複数の連通孔５が形成され、シリンダ筒１２内は、連通孔５を通して容器本体２内に連通している。なお、連通孔５は１つでもよい。連通孔５は、シリンダ筒１２における周壁および底壁にわたって一体に形成されている。ここで、規制部１１ｂは、シリンダ筒１２の底壁における連通孔５の開口周縁部に配置されている。連通孔５の内周面のうち、径方向の内側に位置して径方向の外側を向く面、および規制部１１ｂの表面のうち、径方向の外側を向く面それぞれの径方向の位置が互いに同等になっている。なお、連通孔５の内周面のうち、シリンダ筒１２の周壁に位置して下方を向く面は、規制部１１ｂの上端縁よりも下側に位置している。
シリンダ筒１２の周壁の内周面のうち、連通孔５より上側に位置する部分に、塗布栓９の下端部が上下摺動可能に嵌合している。
【００２１】
主嵌合筒１３の上部は、容器本体２の口部３から上方に突出している。主嵌合筒１３の下端部は、フランジ部を介してシリンダ筒１２の上端部に連結されている。
外嵌合筒１７は、主嵌合筒１３の上部の外周面に連結され、その下端縁が容器本体２の口部３の上端開口縁に当接している。外嵌合筒１７の外周面には、径方向の外側に向けて突出するとともに周方向に延びる環状または円弧状の突起が形成されている。
【００２２】
計量筒部材７は、容器本体２の口部３に装着された装着筒部１８と、装着筒部１８より上側に位置して内側が吐出孔８とされた筒状の頂部１９と、装着筒部１８と頂部１９との間に位置してこれら１８、１９を連結する連結筒部（壁部）２０と、を有する。
図示の例では、計量筒部材７は下側から上側へ向かって、装着筒部１８、連結筒部２０、および頂部１９の順に段階的に縮径している。
【００２３】
装着筒部１８は、環状の天壁と、周壁と、を有する有頂筒状をなしている。装着筒部１８の周壁は、容器本体２の口部３の上端部、および中栓部材４の外嵌合筒１７に外嵌している。装着筒部１８の周壁の内周面には、径方向の内側に向けて突出するとともに周方向に延びる環状または円弧状の突起が、容器軸Ｏ方向に間隔をあけて２つ形成されている。これら２つの突起のうち、下側に位置する突起は、口部３の前記突起にアンダーカット嵌合し、上側に位置する突起は、外嵌合筒１７の前記突起にアンダーカット嵌合している。
【００２４】
装着筒部１８の天壁の下面は、中栓部材４における主嵌合筒１３の上端開口縁に近接し、かつ外嵌合筒１７の上端開口縁に当接している。装着筒部１８の天壁、および主嵌合筒１３それぞれの内周面の径方向の位置は互いに同等になっている。装着筒部１８の天壁には、下方に向けて突出するとともに、外嵌合筒１７と主嵌合筒１３の上部との間に挿入された筒体が形成されている。この筒体は、主嵌合筒１３および外嵌合筒１７のうちの少なくとも一方に嵌合し、計量室６における中栓部材４と計量筒部材７との連結部分の液密性を確保している。
【００２５】
連結筒部２０は、環状の天壁と、周壁と、を有する有頂筒状をなしている。連結筒部２０の周壁は、装着筒部１８の天壁の内周縁部から上側に向けて突出している。連結筒部２０の周壁の内周面における径方向の位置は、装着筒部１８の天壁、および主嵌合筒１３それぞれの内周面の径方向の位置と同等になっている。
頂部１９は、円筒状に形成されるとともに、連結筒部２０の天壁の内周縁部から上側に向けて突出している。頂部１９の内周面と、連結筒部２０の天壁の下面と、の接続部分は、径方向の内側に向けて突の曲面状に形成されている。なお、頂部１９は例えば角筒状に形成してもよい。また、頂部１９を設けずに、連結筒部２０の環状の天壁の内周縁を吐出孔８としてもよい。つまり、計量筒部材７の頂部を、連結筒部２０の天壁としてもよい。
本実施形態では、計量筒部材７の連結筒部２０と、中栓部材４の主嵌合筒１３と、により画成される空間が計量室６とされている。すなわち、計量室６の内周面は、中栓部材４の主嵌合筒１３の内周面と、計量筒部材７の連結筒部２０の周壁の内周面と、により構成される。図示の例では、計量筒部材７のうち、連結筒部２０が、計量室６を画成する壁部となっている。
【００２６】
塗布栓９は、吐出孔８と計量室６との連通を遮断し、かつ計量室６と連通孔５とを連通させる計量位置（例えば図４に示す状態）と、計量位置よりも下側（容器軸方向に沿う容器本体の底部側）に位置するとともに、計量室６と連通孔５との連通を遮断し、かつ吐出孔８と計量室６とを連通させる（ここでいう「連通させる」とは、「連通する、または連通可能な状態とする」の両方の意味を含む）塗布位置（例えば図１、図２、図５に示す状態）と、の間を容器軸Ｏ方向（上下方向）に移動自在に配設されている。
図示の例では、塗布栓９が塗布位置に位置した状態で、塗布栓９の外周面と吐出孔８の内周面との間の隙間を通して、計量室６の内容物が吐出可能とされている。
【００２７】
塗布栓９は、計量筒部材７内に配設された有頂筒状のシール筒２４と、シール筒２４の天壁から下方に向けて延び、シール筒２４の周壁により径方向の外側から囲繞された外挿筒２５と、シール筒２４の天壁に立設された筒状の先端部２６と、を有する。シール筒２４、外挿筒２５および先端部２６は、容器軸Ｏと同軸に配置されるとともに、一体に形成されている。
【００２８】
シール筒２４の上部は、図４に示すように、塗布栓９が計量位置に位置するときに、吐出孔８の内側に摺動自在に嵌合しており、吐出孔８と計量室６との連通を遮断する。シール筒２４の下端部は、塗布栓９が、図２および図５に示すように塗布位置に位置するときに、シリンダ筒１２の内側に摺動自在に嵌合している。図示の例では、シール筒２４のうち、下端部の厚さは、他の部分の厚さより薄くなっている。
このようなシール筒２４の下端部は、塗布位置に位置するときに、シリンダ筒１２内に嵌合し計量室６と連通孔５との連通を遮断する一方、計量位置に位置するときに、シリンダ筒１２内から上方に離脱し計量室６と連通孔５とを連通させる。
【００２９】
塗布栓９は、径方向の外側に向けて突出するストッパー段部２４ｃを備える。ストッパー段部２４ｃは、シール筒２４の外周面における容器軸Ｏ方向の中間部分に形成されている。ストッパー段部２４ｃは、周方向に沿って延びる環状に形成されている。ストッパー段部２４ｃは、図４に示すように、塗布栓９が計量位置に位置するときに、計量筒部材７内における吐出孔８の開口周縁部に対して、下側から当接可能である。図示の例では、ストッパー段部２４ｃは、計量筒部材７のうち連結筒部２０の天壁の内周縁部に対して、その下側から当接可能となっている。
【００３０】
塗布栓９が計量位置に位置した状態では、塗布栓９のストッパー段部２４ｃが、計量筒部材７における吐出孔８の開口周縁部にその下側から当接することで、たとえ計量室６に対して塗布栓９を上側へ移動させる向きの外力が作用した場合でも、計量位置に位置した塗布栓９がそれ以上に上側に向けて移動することが規制されている。
ここで、シール筒２４の上部における外周面には、径方向の外側に向けて突出するとともに周方向に延びる環状または円弧状の第１係合突部２４ａが形成されている。この第１係合突部２４ａは、塗布栓９が塗布位置から計量位置に移動したときに、吐出孔８の内周面に形成された第２係合突部８ａを上方に乗り越え、第２係合突部８ａに第１係合突部２４ａの下側から係合する。なお、第１係合突部２４ａおよび第２係合突部８ａは、互いに全周にわたって連続して係合しなくてもよい。
【００３１】
外挿筒２５は、中栓部材４の案内軸１１ａに上下動自在に外挿されている。図示の例では、外挿筒２５は、中栓部材４の案内軸１１ａに非接触状態で上下動する。これにより、塗布栓９を円滑に上下動させることができる。また、外挿筒２５の下端開口縁は、シール筒２４の下端開口縁よりも下側に位置している。
【００３２】
図２に示すように、塗布栓９が塗布位置に位置した状態で、外挿筒２５の下端開口縁は、支持体１１の規制部１１ｂの上端縁と当接し、支持体１１の規制部１１ｂに下側から支持されている。このとき、支持体１１の案内軸１１ａの上端縁と、シール筒２４の天壁と、の間には、容器軸Ｏ方向の隙間が設けられている。なおこれに代えて、案内軸１１ａの上端縁、およびシール筒２４の天壁を互いに当接させて、塗布栓９のこれ以上の下降移動を規制してもよい。
【００３３】
塗布栓９が塗布位置に位置した状態で、塗布栓９の先端部２６は、計量筒部材７の頂部１９内に配設されている。先端部２６の外径は、塗布栓９が計量位置に位置するときに、吐出孔８の内側に嵌合したシール筒２４の上部の外径より小さい。塗布栓９が塗布位置に位置した状態で、シール筒２４のうち、第１係合突部２４ａより上方に位置する上端部、および先端部２６それぞれの外周面と、吐出孔８の内周面と、の間に、内容物が流通可能な隙間が設けられている。そして、この隙間を通して、計量室６内と容器外部とが連通されている。
先端部２６の上端部における内周面には、径方向の内側に向けて突出するとともに周方向に延びる環状または円弧状の被係合部２６ａが形成されている。
【００３４】
塗布容器１は、容器本体２の口部３に着脱自在に装着されて吐出孔８および塗布栓９の先端部２６を覆うキャップ体１０を備える。
キャップ体１０は、有頂筒状をなしており、その周壁の下部における内周面に、口部３の雄ねじ部に螺着する雌ねじ部が形成されている。雌ねじ部は、例えば二条ねじであってもよい。
なお、キャップ体１０が、口部３に着脱可能に螺着されるのに代えて例えば、キャップ体１０の平滑な内周面に、口部３の平滑な外周面を着脱可能に嵌合したり、あるいはキャップ体１０が口部３に着脱可能にアンダーカット嵌合したりする等、適宜変更してもよい。また、キャップ体１０を、口部３に装着するのに代えて例えば、計量筒部材７に装着してもよい。
【００３５】
キャップ体１０の天壁には、下方に向けて突出するとともに、下端部が、塗布位置に位置する塗布栓９の先端部２６内に着脱自在に嵌合された引き上げ筒３１が形成されている。引き上げ筒３１の外周面には、径方向の外側に向けて突出するとともに周方向に延びる環状または円弧状の引き上げ突起３１ａが形成されている。引き上げ突起３１ａは、塗布栓９の先端部２６の被係合部２６ａにアンダーカット嵌合されており、キャップ体１０の、口部３および計量筒部材７に対する上昇移動に伴い、塗布栓９が引き上げられて塗布位置から計量位置に移動する。
【００３６】
ここで、キャップ体１０の引き上げ突起３１ａが、塗布栓９の被係合部２６ａから外れるときには、計量位置に位置する塗布栓９のストッパー段部２４ｃが、計量筒部材７における吐出孔８の開口周縁部にその下側から当接することで、塗布栓９がそれ以上に上側に向けて移動することが規制された状態となる。したがって、キャップ体１０の引き上げ突起３１ａが、塗布栓９の被係合部２６ａから外れる際、塗布栓９には下方に向けた弾性反発力が生ずることとなる。
しかしながら、前述したように、塗布栓９の第１係合突部２４ａが、計量筒部材７の第２係合突部８ａに、第１係合突部２４ａの下側から係合しているので、塗布栓９の計量位置から下方に向けた移動を規制することができる。
【００３７】
キャップ体１０の天壁には、下方に向けて突出し、計量筒部材７の頂部１９に着脱自在に外嵌された外嵌筒２８が形成されている。
キャップ体１０は、計量筒部材７の頂部１９にその上方から当接する当接部２７を備える。当接部２７は、キャップ体１０の天壁から下方に向けて突出している。当接部２７は、キャップ体１０の天壁において、外嵌筒２８の内側に位置する部分に配置されている。当接部２７は、周方向に間隔をあけて複数配置され、外嵌筒２８の内周面と一体に形成されている。当接部２７の下端縁は、外嵌筒２８の下端開口縁より上方に位置している。当接部２７の下端縁が、計量筒部材７の頂部１９の上端開口縁に当接している。なお、当接部２７は環状に形成されてもよい。
【００３８】
キャップ体１０の周壁の下端部の内周面には、周方向を向く壁面を備えた段部３２が形成されている。キャップ体１０が容器本体２の口部３に装着された状態において、段部３２は、容器本体２の回り止めリブ３ｂに周方向から当接可能とされている。段部３２が回り止めリブ３ｂに周方向から当接することで、キャップ体１０が口部３に過度に締め込まれることが規制される。
【００３９】
そして、本実施形態では、容器本体２は、全域にわたって容器外部から内部が視認不能に形成されている。図示の例では、容器本体２は、遮光性を有する樹脂材料で一体に形成されている。なお、容器本体２としては、透明若しくは半透明の樹脂材料等で形成した成形体を、全域にわたって遮光性を有する例えばフィルム若しくは塗膜等の被覆体で覆った構成とする等適宜変更してもよい。
【００４０】
計量筒部材７のうち計量室６を画成する連結筒部２０は、計量室６を容器外部から視認可能な透視部２１と、計量室６を容器外部から視認不能な遮光部２２と、により構成されている。
透視部２１の表面積は遮光部２２の表面積より小さい。透視部２１は、図３に示されるように、径方向の外側から見て、容器軸Ｏ方向に長い長方形状を呈する。透視部２１は、連結筒部２０の周壁および天壁にわたって配設されている。透視部２１は、連結筒部２０の周壁における下端部を除く容器軸Ｏ方向の全長にわたって配設されている。透視部２１は、連結筒部２０の天壁における径方向の全長にわたって配設されている。
【００４１】
計量筒部材７のうち、少なくとも連結筒部２０は、透明若しくは半透明な材質で形成された透視層２３と、遮光性を有する材質で形成されるとともに、透視層２３を、その一部を除いて覆う遮光層３３と、を備える。前述の透視部２１は、透視層２３のうち、遮光層３３で覆われていない前記一部を備える。透視層２３を形成する材質は、無色でも有色でもよい。なお、本明細書でいう半透明とは、内部が視認可能な光透過性を有することを意味する。
図示の例では、遮光層３３は、透視層２３の外面を覆っている。また、計量筒部材７の全体が、透視層２３および遮光層３３が積層されてなる積層構造となっている。計量筒部材７の全体が、透視層２３および遮光層３３により構成された２層構造となっている。
【００４２】
遮光層３３は、計量筒部材７において、装着筒部１８における周壁の外周面、および天壁の上面と、連結筒部２０における周壁の外周面、および天壁の上面と、頂部１９の外周面および上端開口縁と、を構成している。透視層２３は、計量筒部材７において、少なくとも内容物が接触する、吐出孔８の内周面と、連結筒部２０における周壁の内周面、および天壁の下面と、を構成している。
透視層２３のうち、前記一部は、前記一部を除く部分より、遮光層３３の厚さ分だけ厚くなっている。透視層２３の前記一部の外面は、遮光層３３の外面と面一になっており、連結筒部２０における周壁の外周面の一部、および天壁の上面の一部を構成している。透視部２１の外面は、遮光部２２の外面と面一になっている。
【００４３】
計量筒部材７は、例えば、透視層２３および遮光層３３のうちのいずれか一方をインサート品として、いずれか他方を射出成形する、いわゆるインサート成形、若しくは２色成形等により形成される。
なお、これに代えて例えば、遮光層３３を、透視層２３の外面に遮光性を有する材料を塗布することで形成してもよく、また、遮光層３３は、透視層２３の外面に貼着したフィルムであってもよく、また、透視層２３および遮光層３３を別部材として、遮光層３３の内側に透視層２３を嵌合してもよい。
透視層２３および遮光層３３は、互いに異なる材質で形成されてもよく、また、主剤が同じで、含有する顔料の種類若しくは量等が異なる材料で形成されてもよい。
【００４４】
塗布容器１は、中栓部材４、計量筒部材７、および塗布栓９が組み立てられてなる計量塗布具を、内容物の充填された容器本体２の口部３に装着した後に、キャップ体１０を口部３に螺着することで形成される。
【００４５】
以下、本実施形態の塗布容器１の作用について説明する。
【００４６】
図２に示すように、塗布容器１の使用前では、塗布栓９のシール筒２４の下端部がシリンダ筒１２の周壁の内側に嵌合して、計量室６と連通孔５との連通が遮断されている。
容器本体２内の内容物を被塗布部Ｓに塗布するには、まず、キャップ体１０を上側へ移動させて容器本体２の口部３から離脱させ、吐出孔８および塗布栓９の先端部２６を容器外部に露出させる。ここで、キャップ体１０が離脱される際には、引き上げ筒３１の引き上げ突起３１ａと、塗布栓９の先端部２６の被係合部２６ａと、が互いに容器軸Ｏ方向に係合することで、キャップ体１０により塗布栓９が引き上げられて計量位置に移動する。この際、口部３の雄ねじ部、およびキャップ体１０の雌ねじ部は、二条ねじであるため、一条ねじである構成と比較して、ねじのリードが大きくなる。このため、キャップ体１０の周方向の回転量に対する容器軸Ｏ方向の変位量を大きくすることができる。これにより、塗布栓９を速やかに上側に移動させることができるとともに、キャップ体１０を容器本体２の口部３から速やかに離脱させることができる。
【００４７】
図４に示すように、塗布栓９が計量位置へ移動させられると、塗布栓９のシール筒２４の上部が吐出孔８の内側に嵌合し、塗布栓９のストッパー段部２４ｃが計量筒部材７の連結筒部２０の天壁（吐出孔８の開口周縁部）に当接し、また、塗布栓９の第１係合突部２４ａが、計量筒部材７の第２係合突部８ａを上方に乗り越え、第１係合突部２４ａが、第２係合突部８ａに第１係合突部２４ａの下側から係合する。この際、吐出孔８と計量室６との連通が遮断されている。この状態から、さらに容器本体２の口部３に対してキャップ体１０が上側へ移動することで、キャップ体１０の引き上げ筒３１の引き上げ突起３１ａが、塗布栓９の先端部２６の被係合部２６ａを上方に乗り越えて、キャップ体１０が容器本体２および塗布栓９から取り外される。
【００４８】
次いで、塗布栓９が計量位置に位置した状態で、塗布容器１を倒立姿勢にすることで、容器本体２内の内容物を連通孔５を通して計量室６内に流入させる。この際、塗布栓９により吐出孔８と計量室６との連通が遮断されているので、計量室６に所定量の内容物が計量される。
次いで、図５に示すように、計量位置に位置する塗布栓９の先端部２６を、被塗布部Ｓに押し付けると、塗布栓９は、塗布位置に向けて移動する。この過程において、塗布栓９の外周面と吐出孔８の内周面との間の隙間を容器外部に開口させるとともに、外挿筒２５を中栓部材４の規制部１１ｂに突き当て、また、シール筒２４の下端部をシリンダ筒１２の周壁の内側に嵌合させる。
これにより、塗布容器１は、計量室６と連通孔５との連通が遮断されるとともに、吐出孔８と計量室６とが連通し、吐出孔８の内周面と塗布栓９の先端部２６の外周面との間の隙間を通して内容物を被塗布部Ｓに塗布することができる。
【００４９】
そして使用後（塗布後）は、キャップ体１０の引き上げ筒３１の下端部を、塗布栓９の先端部２６内に嵌合させつつ、引き上げ筒３１の引き上げ突起３１ａを、先端部２６の被係合部２６ａに被係合部２６ａの上方から当接させた状態で、キャップ体１０の雌ねじ部を容器本体２の口部３の雄ねじ部に螺合することによって、引き上げ突起３１ａを、被係合部２６ａを下方に乗り越えさせるとともに、キャップ体１０を容器本体２の口部３に装着する。
【００５０】
以上説明したように、本実施形態による塗布容器１によれば、計量筒部材７のうち、計量室６を画成する連結筒部２０が透視部２１を備えるので、計量室６の内容物を被塗布部Ｓに塗布する際に、透視部２１を通して計量室６の内容物の残量を確認することが可能になり、例えば計量した内容物を確実に使い切ることができる等、優れた取り扱い性を具備させることができる。
しかも、連結筒部２０が、透視部２１だけでなく遮光部２２も備えているので、連結筒部２０の全体が透視部２１で構成されている場合と比べて、容器本体２から計量室６に流入した内容物に光が当たるのを抑制することができる。
また、計量筒部材７のうち計量室６を画成する連結筒部２０が、積層された透視層２３および遮光層３３を備えるので、例えば、透視層２３および遮光層３３が、厚さ方向に直交する方向に並べられた構成と比べて、計量筒部材７を容易かつ精度よく形成することができる。
【００５１】
なお、本発明の技術的範囲は前記実施形態に限定されるものではなく、本発明の趣旨を逸脱しない範囲において種々の変更を加えることが可能である。
【００５２】
例えば、塗布栓９の少なくとも一部を軟材質等で形成することで、塗布栓９の塗布感触を、刺激が少なく快適で心地よい感触にすることも可能である。
また、前記実施形態では、計量筒部材７として、遮光層３３が透視層２３の外面を覆う構成を示したが、遮光層３３が透視層２３の内面を覆う構成を採用してもよい。
また、前記実施形態では、計量筒部材７として、透視層２３および遮光層３３を有する２層構造を示したが、例えば、透視層２３および遮光層３３が、厚さ方向に直交する方向に並べられてなる１層構造、または３層以上の多層構造としてもよい。後者の場合、遮光層３３は、計量室６の内周面を構成する最内層、計量筒部材７の外面を構成する最外層、若しくは最内層と最外層との間の中間層に配設してもよい。
また、前記実施形態では、計量筒部材７の全体が、透視層２３および遮光層３３が積層されてなる積層構造とされた構成を示したが、計量筒部材７のうち連結筒部２０のみがこのような積層構造とされた構成を採用してもよい。
【００５３】
前記実施形態では、連結筒部２０のうちの天壁および周壁の双方に透視部２１が配設された構成を示したが、連結筒部２０において、天壁および周壁のうちのいずれか一方のみに、透視部２１を配設してもよい。
前記実施形態では、透視部２１の外面が、遮光部２２の外面と面一になっている構成を示したが、透視部２１の外面と遮光部２２の外面との間に段部が配設されてもよい。
また、中栓部材４のうち、少なくとも一部が容器本体２の上方に位置する主嵌合筒１３および外嵌合筒１７を、透明若しくは半透明な材質で形成した場合、計量筒部材７の装着筒部１８に透視部２１を配設してもよい。
【００５４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５５】
１  塗布容器
２  容器本体
２ａ  底部
３  口部
４  中栓部材
５  連通孔
６  計量室
７  計量筒部材
８  吐出孔
９  塗布栓
１９  頂部
２０  連結筒部（壁部）
２１  透視部
２２  遮光部
２３  透視層
２６  先端部
３３  遮光層
Ｏ    容器軸
Ｓ    被塗布部
【図１】
2019131236.tif 000003
【図２】
2019131236.tif 000004
【図３】
2019131236.tif 000005
【図４】
2019131236.tif 000006
【図５】
2019131236.tif 000007